(57)【特許請求の範囲】
【請求項１】
建築物の開口縁部に配置される金属枠と、前記金属枠の室内側に配置されて前記金属枠の室内側部を覆う樹脂カバーと、を備えた枠体であって、
前記樹脂カバーは、前記金属枠の室内側部の室内側において前記金属枠の室内側部に対向する中空部と、前記中空部から前記金属枠の室内側部に向かって見込み方向室外側に突出して前記中空部と前記金属枠の室内側部との間に空所を形成する突出部と、を有し、前記突出部のみで前記金属枠に接触する枠体。
【請求項２】
請求項１に記載された枠体において、
前記中空部は、前記金属枠の室内側部の見込み方向室内側の全体を覆う枠体。
【請求項３】
請求項１又は２に記載された枠体において、
前記金属枠の室内側部が見込み方向において前記突出部よりも室内側の位置には設けられずに、前記中空部が前記金属枠から離間した位置に配置される枠体。
【請求項４】
請求項１ないし３のいずれかに記載された枠体において、
前記空所と前記中空部の内部の少なくとも一方に収容され、前記金属枠の熱伝導率よりも熱伝導率が低い低熱伝導率材を備えた枠体。
【請求項５】
請求項１ないし４のいずれかに記載された枠体において、
前記樹脂カバーは、前記中空部の内部を区画する区画壁を有し、
前記突出部は、前記中空部の前記区画壁に接続する部分から突出する枠体。
【請求項６】
建築物の開口縁部に配置される金属枠と、前記金属枠の室内側に配置されて前記金属枠の室内側部を覆う樹脂カバーと、を備えた枠体であって、
前記樹脂カバーは、前記金属枠の室内側部の室内側において前記金属枠の室内側部に対向する対向部と、前記対向部から前記金属枠の室内側部に向かって見込み方向室外側に突出して前記対向部と前記金属枠の室内側部との間に空所を形成する突出部と、を有し、前記突出部のみで前記金属枠に接触する枠体。
【請求項７】
請求項６に記載された枠体において、
前記対向部は、前記金属枠の室内側部の見込み方向室内側の全体を覆う枠体。
【請求項８】
請求項６又は７に記載された枠体において、
前記金属枠の室内側部が見込み方向において前記突出部よりも室内側の位置には設けられずに、前記対向部が前記金属枠から離間した位置に配置される枠体。
【請求項９】
請求項６ないし８のいずれかに記載された枠体において、
前記空所に収容され、前記金属枠の熱伝導率よりも熱伝導率が低い低熱伝導率材を備えた枠体。
【請求項１０】
請求項１ないし９のいずれかに記載された枠体において、
前記樹脂カバーは、前記建築物の開口縁部に取り付けられる取付部を有する枠体。
【請求項１１】
請求項１ないし１０のいずれかに記載された枠体において、
前記樹脂カバーは、前記金属枠の室内側部に係合する一対の前記突出部を有し、
前記金属枠の室内側部は、前記一対の突出部の間に位置して、前記一対の突出部に係合する一対の係合部を有する枠体。
【請求項１２】
請求項１ないし１１のいずれかに記載された枠体を備えた建具。
【発明の詳細な説明】
【技術分野】
【０００１】
本発明は、建築物の開口縁部に設置される枠体と、枠体を備えた建具に関する。
【背景技術】
【０００２】
金属と樹脂の複合構造の枠体は、各種の建具（窓、ドア等）の開口枠として用いられている。枠体の金属枠は、建築物の開口縁部に配置されて、例えば、開口縁部の額縁内で露出する。この場合には、冬季等に、金属枠の室内側部の表面温度が低下して、金属枠の室内側部に結露が発生することがある。これに対し、従来、アルミ下枠（金属枠）の室内側部を樹脂補助枠（樹脂カバー）で覆い、アルミ下枠の室内側部の露出を防止する窓枠が知られている（特許文献１参照）。
【０００３】
ところが、特許文献１に記載された従来の窓枠では、樹脂補助枠とアルミ下枠の室内側部との接触面積が大きくなる。その結果、樹脂補助枠とアルミ下枠の室内側部との間で熱が伝導し易く、室内側における窓枠の断熱性に影響が生じる虞がある。また、樹脂補助枠の表面温度が低下して、樹脂補助枠に結露が発生する虞もある。
【先行技術文献】
【特許文献】
【０００４】
【特許文献１】特許第３５４２９５９号公報
【発明の概要】
【発明が解決しようとする課題】
【０００５】
本発明は、前記従来の問題に鑑みなされたもので、その目的は、金属枠の室内側部を樹脂カバーで覆う枠体の断熱性を向上させ、樹脂カバーでの結露の発生を抑制することである。
【課題を解決するための手段】
【０００６】
本発明は、建築物の開口縁部に配置される金属枠と、前記金属枠の室内側に配置されて前記金属枠の室内側部を覆う樹脂カバーと、を備えた枠体である。前記樹脂カバーは、前記金属枠の室内側部の室内側において前記金属枠の室内側部に対向する中空部と、前記中空部から前記金属枠の室内側部に向かって見込み方向室外側に突出して前記中空部と前記金属枠の室内側部との間に空所を形成する突出部と、を有し、前記突出部のみで前記金属枠に接触する。
本発明は、建築物の開口縁部に配置される金属枠と、前記金属枠の室内側に配置されて前記金属枠の室内側部を覆う樹脂カバーと、を備えた枠体である。前記樹脂カバーは、前記金属枠の室内側部の室内側において前記金属枠の室内側部に対向する対向部と、前記対向部から前記金属枠の室内側部に向かって見込み方向室外側に突出して前記対向部と前記金属枠の室内側部との間に空所を形成する突出部と、を有し、前記突出部のみで前記金属枠に接触する。
本発明は、本発明の枠体を備えた建具である。
【発明の効果】
【０００７】
本発明によれば、金属枠の室内側部を樹脂カバーで覆う枠体の断熱性を向上させて、樹脂カバーでの結露の発生を抑制することができる。
【図面の簡単な説明】
【０００８】
【図１】第１実施形態の建具の断面図である。
【図２】第１実施形態の建具の断面図である。
【図３】図１に示す下枠の拡大図である。
【図４】図１に示す上枠の拡大図である。
【図５】図２に示す一対の縦枠の拡大図である。
【図６】第２実施形態の建具の下枠を示す断面図である。
【図７】下枠の第３下樹脂カバーの他の例を示す断面図である。
【発明を実施するための形態】
【０００９】
本発明の枠体と建具の一実施形態について、図面を参照して説明する。
本実施形態の枠体は、開口部を形成する開口枠であり、本実施形態の建具に設けられる。以下では、建具が引き違い窓である場合を例にとり、枠体と建具について説明する。従って、以下の各実施形態では、枠体は、建具の窓枠である。
【００１０】
（第１実施形態）
図１、図２は、第１実施形態の建具１の断面図であり、建具１の概略構成を示している。図１は、建具１を垂直方向に切断した縦断面図であり、図２は、建具１を水平方向に切断した横断面図である。
図示のように、建具１は、建築物の開口部に設置されて、建築物の室内と室外の間に配置される。また、建具１は、引き違い障子である方形状の一対の障子３と、建築物の開口縁部（開口部の縁部）に設置される方形状の枠体４を備えている。枠体４が建築物の開口縁部に沿って配置されて、一対の障子３が枠体４の開口部４Ａに配置される。
【００１１】
一対の障子３は、枠体４に開閉可能に取り付けられた面材であり、室外側の外障子３Ａと室内側の内障子３Ｂからなる。各障子３は、枠組みされた４つの框３Ｃ〜３Ｅ（下框３Ｃ、上框３Ｄ、及び、一対の縦框３Ｅ）と、框３Ｃ〜３Ｅの内側に嵌め込まれたパネル材３Ｆ（例えば、複数のガラス板）を有する。一対の障子３は、枠体４にスライド可能に支持され、水平方向にスライドして、枠体４の開口部４Ａを開閉する。
【００１２】
枠体４は、枠組みされた４つの枠５〜７（下枠５、上枠６、及び、一対の縦枠７）を有する。また、枠体４は、金属と樹脂の複合構造を有する複合サッシ（複合枠）であり、４つの枠５〜７に、金属製の金属枠５Ａ〜７Ａと、合成樹脂製の樹脂カバー１０、２０、３０、４０、５０、６０、７０を備えている。樹脂カバー１０、２０、３０、４０、５０、６０、７０は、それぞれ金属枠５Ａ〜７Ａに係合して、金属枠５Ａ〜７Ａに取り付けられる。
【００１３】
４つの枠５〜７の金属枠５Ａ〜７Ａは、金属（ここでは、アルミニウム合金）の押出成形により成形され、建築物の開口縁部に配置される。金属枠５Ａ〜７Ａは、方形状に組み合わされ、取付部材であるネジＳ１〜Ｓ５により、建築物の開口縁部に取り付けられる。４つの枠５〜７の樹脂カバー１０、２０、３０、４０、５０、６０、７０は、合成樹脂の押出成形により成形され、金属枠５Ａ〜７Ａの長手方向に沿って配置される。
【００１４】
下枠５の金属枠５Ａ（下金属枠）は、凸状の外レール５Ｂを有し、上枠６の金属枠６Ａ（上金属枠）は、外レール５Ｂと対向する凸状の外レール６Ｂを有する。外障子３Ａは、外レール５Ｂ、６Ｂに沿ってスライドする。下枠５の樹脂カバー１０は、凸状の内レール１１を有し、上枠６の樹脂カバー４０は、内レール１１に対向する凸状の内レール４１を有する。内障子３Ｂは、内レール１１、４１に沿ってスライドする。
【００１５】
下金属枠５Ａの一部は、下枠５の３つの樹脂カバー１０、２０、３０（第１下樹脂カバー１０、第２下樹脂カバー２０、第３下樹脂カバー３０）により覆われる。また、上金属枠６Ａの一部は、上枠６の２つの樹脂カバー４０、５０（第１上樹脂カバー４０、第２上樹脂カバー５０）により覆われる。縦枠７の金属枠７Ａ（縦金属枠）の一部は、縦枠７の２つの樹脂カバー６０、７０（第１縦樹脂カバー６０、第２縦樹脂カバー７０）により覆われる。以下、４つの枠５〜７の構造について順に説明する。
【００１６】
図３は、図１に示す下枠５の拡大図である。
図示のように、第１下樹脂カバー１０と第２下樹脂カバー２０は、下金属枠５Ａの外レール５Ｂよりも室内側の部分に対して、枠体４の開口部４Ａ側に配置されて、下金属枠５Ａの開口側部５Ｃを覆う。開口側部５Ｃは、下金属枠５Ａの開口部４Ａ側に位置する部分であり、下枠５の見込み方向（室内外方向）に沿って形成される。第１下樹脂カバー１０と第２下樹脂カバー２０により、開口側部５Ｃの室内側の部分が覆われる。
【００１７】
第１下樹脂カバー１０は、中空状の内レール１１と、内レール１１の上端に係合して設けられる金属製（ここでは、アルミニウム合金製）のレール部１１Ａと、内レール１１よりも室内側において下金属枠５Ａの開口側部５Ｃを覆うカバー部１２と、カバー部１２よりも室内側に位置する板状の突片１３と、下金属枠５Ａと係合する複数の突出部１４〜１６を有する。内レール１１は、外レール５Ｂと下金属枠５Ａの室内側部５Ｄの間に配置される。室内側部５Ｄは、見込み方向において下金属枠５Ａの室内側に位置する部分であり、下枠５の見付け方向に沿って形成される。また、室内側部５Ｄは、下金属枠５Ａの室内側の端部から上下方向（見付け方向）に延出する壁部である。カバー部１２は、内レール１１と室内側部５Ｄの間に配置されて、開口側部５Ｃに対向する。
【００１８】
突片１３は、下金属枠５Ａの室内側部５Ｄと第３下樹脂カバー３０に対して、枠体４の開口部４Ａ側に配置されて、第３下樹脂カバー３０を覆う。また、突片１３は、第３下樹脂カバー３０よりも室内側に向かって突出し、取付部材であるネジＳ６により、下金属枠５Ａを介さずに建築物の開口縁部に直接取り付けられる。
【００１９】
突出部１４〜１６は、内レール１１とカバー部１２から下金属枠５Ａの開口側部５Ｃに向かって突出して、空所１７、１８を形成する。一方の空所１７は、内レール１１と開口側部５Ｃの間に形成され、他方の空所１８は、カバー部１２と開口側部５Ｃの間に形成される。内レール１１に接続する２つの突出部１４、１５は、内レール１１から開口側部５Ｃまで突出して、開口側部５Ｃに接触し、内レール１１を支持する。
【００２０】
突出部１４〜１６の内、最も室外側の突出部１４と最も室内側の突出部１６は、先端部に係合フック１４Ａ、１６Ａを有する。下金属枠５Ａは、一対の突出部１４、１６の係合フック１４Ａ、１６Ａに係合する一対の係合部５Ｅ、５Ｆを有する。一方の係合部５Ｅは、下金属枠５Ａの開口側部５Ｃに形成された係合突起であり、他方の係合部５Ｆは、下金属枠５Ａの室内側部５Ｄに形成された係合突起である。係合フック１４Ａ、１６Ａが係合部５Ｅ、５Ｆに引っ掛けられて、係合部５Ｅ、５Ｆが突出部１４、１６に係合する。
【００２１】
第２下樹脂カバー２０は、下金属枠５Ａの開口側部５Ｃを覆う板状のカバー部２１と、複数の突出部２２、２３を有する。カバー部２１は、第１下樹脂カバー１０の内レール１１と外レール５Ｂの間に配置されて、開口側部５Ｃに対向する。突出部２２、２３は、カバー部２１から開口側部５Ｃに向かって突出して、カバー部２１と開口側部５Ｃの間に空所２４を形成する。複数の突出部２２、２３は、カバー部２１から開口側部５Ｃまで突出して、開口側部５Ｃに接触し、カバー部２１を支持する。
【００２２】
一対の突出部２２、２３は、先端部に係合フック２２Ａ、２３Ａを有する。下金属枠５Ａは、一対の突出部２２、２３の係合フック２２Ａ、２３Ａに係合する一対の係合部５Ｇ、５Ｈを有する。一対の係合部５Ｇ、５Ｈは、下金属枠５Ａの開口側部５Ｃに形成された係合突起である。係合フック２２Ａ、２３Ａが係合部５Ｇ、５Ｈに引っ掛けられて、係合部５Ｇ、５Ｈが突出部２２、２３に係合する。
【００２３】
第３下樹脂カバー３０は、下金属枠５Ａの室内側に配置されて、下金属枠５Ａの室内側部５Ｄを覆う。また、第３下樹脂カバー３０は、室内側部５Ｄに対向する中空部３１と、区画壁３２と、突起３３と、取付部３４と、複数の突出部３５〜３７を有する。中空部３１は、室内側部５Ｄの見込み方向室内側を覆う中空状のカバー部であり、矩形状の断面形状に形成されている。室内側部５Ｄの室内側において、中空部３１が下枠５の見付け方向に沿って形成されて、中空部３１により、室内側部５Ｄの見込み方向室内側の全体が覆われる。
【００２４】
区画壁３２は、中空部３１内に形成されて、中空部３１の内部を複数の空間に区画する。区画壁３２により、中空部３１の内部が第３下樹脂カバー３０の幅方向（下枠５の見付け方向）に区画されて、複数の内部空間３１Ａ、３１Ｂが中空部３１内に形成される。中空部３１及び内部空間３１Ａ、３１Ｂは、第３下樹脂カバー３０の長手方向（図２の左右方向）に連続して設けられている。突起３３は、中空部３１に形成されて、第１下樹脂カバー１０の突片１３に接触する。中空部３１と突片１３の間に位置する突起３３により、隙間１９が第３下樹脂カバー３０と突片１３の間に形成される。
【００２５】
取付部３４は、中空部３１から室内側に突出する突片であり、取付部材であるネジＳ７により、建築物の開口縁部に取り付けられる。中空部３１と取付部３４は下金属枠５Ａに接触せず、取付部３４はネジＳ７を用いて、下金属枠５Ａを介さずに建築物の開口縁部（開口縁部の部材）に直接取り付けられる。第３下樹脂カバー３０は、取付部３４とネジＳ７により、建築物の開口縁部に保持される。
【００２６】
突出部３５〜３７は、中空部３１の見込み方向室外側から下金属枠５Ａの室内側部５Ｄに向かって見込み方向室外側に突出して、中空部３１と室内側部５Ｄの間に空所３８Ａ、３８Ｂを形成する。空所３８Ａ、３８Ｂは、第３下樹脂カバー３０と室内側部５Ｄにより区画された下枠５の内部空間である。突出部３５〜３７は、中空部３１から室内側部５Ｄまで突出して、室内外方向に沿って形成される。突出部３５〜３７により、中空部３１は、室内側部５Ｄを含む下金属枠５Ａから離間した位置に配置される。第３下樹脂カバー３０は、突出部３５〜３７のみで下金属枠５Ａに接触する。
【００２７】
第３下樹脂カバー３０の突出部３５〜３７以外の部分は下金属枠５Ａに接触せず、第３下樹脂カバー３０の突出部３５〜３７のみが下金属枠５Ａに接触する。突出部３５〜３７の下金属枠５Ａへの接触が許容される部分は、先端部（突端部）から中空部３１に接続する根元部までの部分である。ここでは、突出部３５〜３７の先端部側の一部が下金属枠５Ａの室内側部５Ｄに接触する。また、室内側部５Ｄは下金属枠５Ａの最も室内側に位置する部分であり、見込み方向において、突出部３５〜３７よりも室内側の位置には下金属枠５Ａが設けられない。
【００２８】
中空部３１は、複数の突出部３５〜３７により支持される。また、複数の突出部３５〜３７のうちの１つの突出部３６は、見付け方向において、他の２つの突出部３５、３７の間に位置し、中空部３１の区画壁３２に接続する部分（接続部３１Ｃ）に接続して、中空部３１の接続部３１Ｃから下金属枠５Ａの室内側部５Ｄに向かって突出する。中空部３１において内部空間３１Ａ、３１Ｂを区画する室外側の壁部（接続部３１Ｃの上下に位置する壁部）と、区画壁３２により、接続部３１Ｃの剛性が向上するため、接続部３１Ｃから突出する突出部３６も変形し難い。区画壁３２は、中空部３１の接続部３１Ｃから室内側に向かって形成され、突出部３６は、中空部３１の接続部３１Ｃから室外側に向かって形成される。
【００２９】
突出部３５〜３７の内、２つの突出部３５、３６は、先端部に係合フック３５Ａ、３６Ａを有し、中空部３１の室外側で並列する。室内側部５Ｄは、一対の突出部３５、３６の係合フック３５Ａ、３６Ａに係合する一対の係合部５Ｉ、５Ｊを有する。一対の係合部５Ｉ、５Ｊは、室内側部５Ｄに形成された係合突起であり、見込み方向室内側に向かって突出して一対の突出部３５、３６の間に位置する。一対の突出部３５、３６の内側で、係合フック３５Ａ、３６Ａが係合部５Ｉ、５Ｊに引っ掛けられて、突出部３５、３６が係合部５Ｉ、５Ｊに係合する。
【００３０】
図４は、図１に示す上枠６の拡大図である。
図示のように、第１上樹脂カバー４０は、上金属枠６Ａ（外レール６Ｂを除く）に対して、枠体４の開口部４Ａ側に配置されて、上金属枠６Ａの開口側部６Ｃを覆う。開口側部６Ｃは、上金属枠６Ａの開口部４Ａ側に位置する部分であり、上枠６の見込み方向（室内外方向）に沿って形成される。開口側部６Ｃの開口部４Ａ側が、第１上樹脂カバー４０により覆われる。
【００３１】
第１上樹脂カバー４０は、中空状の内レール４１と、上金属枠６Ａの開口側部６Ｃを覆うカバー部４２と、板状の突片４３と、中空状の装着部４４を有する。内レール４１は、外レール６Ｂと上金属枠６Ａの室内側部６Ｄの間に配置される。室内側部６Ｄは、見込み方向において上金属枠６Ａの室内側に位置する部分であり、開口側部６Ｃの室内側の端部から室内側に延出して形成される。カバー部４２は、内レール４１の室内側と室外側に形成され、開口側部６Ｃに対向する。
【００３２】
突片４３は、上金属枠６Ａの室内側部６Ｄと第２上樹脂カバー５０に対して、枠体４の開口部４Ａ側に配置されて、第２上樹脂カバー５０を覆う。また、突片４３は、第２上樹脂カバー５０よりも室内側に向かって突出し、取付部材であるネジＳ８により、上金属枠６Ａを介さずに建築物の開口縁部に直接取り付けられる。装着部４４は、外レール６Ｂ内に装着されて、外レール６Ｂに係合する。
【００３３】
第２上樹脂カバー５０は、見込み方向において上金属枠６Ａの室内側に配置されて、上金属枠６Ａの室内側部６Ｄを覆う。また、第２上樹脂カバー５０は、室内側部６Ｄに対向する中空部５１と、複数の突出部５２、５３と、突起５４を有する。中空部５１は、室内側部６Ｄを覆う中空状のカバー部であり、矩形状の断面形状に形成されている。室内側部６Ｄの室内側において、中空部５１が上枠６の見付け方向に沿って形成されて、中空部５１により、室内側部６Ｄの見込み方向室内側の全体が覆われる。１つの内部空間５１Ａが中空部５１内に形成される。中空部５１及び内部空間５１Ａは、第２上樹脂カバー５０の長手方向（図２の左右方向）に連続して設けられている。
【００３４】
一方の突出部５２は、中空部５１から上金属枠６Ａの室内側部６Ｄに向かって見込み方向室外側に突出し、他方の突出部５３は、中空部５１から第１上樹脂カバー４０に向かって見込み方向室外側に突出する。突出部５２、５３により、空所５５が、中空部５１と室内側部６Ｄの間、及び、中空部５１と第１上樹脂カバー４０の間に形成される。空所５５は、第２上樹脂カバー５０、室内側部６Ｄ、及び、第１上樹脂カバー４０により区画された上枠６の内部空間である。突出部５２は、中空部５１から室内側部６Ｄまで突出して、室内外方向に沿って形成される。中空部５１は、室内側部６Ｄを含む上金属枠６Ａに接触せず、突出部５２により、上金属枠６Ａから離間した位置に配置される。第２上樹脂カバー５０は、突出部５２のみで上金属枠６Ａに接触する。
【００３５】
突出部５２の上金属枠６Ａへの接触が許容される部分は、先端部（突端部）から中空部５１に接続する根元部までの部分である。ここでは、突出部５２の先端部側の一部が上金属枠６Ａの室内側部６Ｄに接触する。また、室内側部６Ｄは上金属枠６Ａの最も室内側に位置する部分であり、見込み方向において、突出部５２よりも室内側の位置には上金属枠６Ａが設けられない。
【００３６】
突出部５２、５３は、先端部に係合フック５２Ａ、５３Ａを有する。上金属枠６Ａの室内側部６Ｄは、一方の突出部５２の係合フック５２Ａに係合する係合部６Ｅを有し、第１上樹脂カバー４０は、他方の突出部５３の係合フック５３Ａに係合する係合部４５を有する。係合部６Ｅは、室内側部６Ｄに見込み方向室内側に向かって形成された係合突起であり、係合部４５は、第１上樹脂カバー４０の突片４３に形成された係合突起である。
【００３７】
係合フック５２Ａ、５３Ａが係合部６Ｅ、４５に引っ掛けられて、係合部６Ｅ、４５が突出部５２、５３に係合する。これにより、第２上樹脂カバー５０は、上金属枠６Ａの室内側部６Ｄと、第１上樹脂カバー４０に取り付けられる。突起５４は、中空部５１に形成されて、第１上樹脂カバー４０の突片４３に接触する。中空部５１と突片４３の間に位置する突起５４と係合部４５により、隙間４６が第２上樹脂カバー５０と突片４３の間に形成される。
【００３８】
図５は、図２に示す一対の縦枠７の拡大図である。
図示のように、第１縦樹脂カバー６０は、縦金属枠７Ａに対して、枠体４の開口部４Ａ側に配置されて、縦金属枠７Ａの開口側部７Ｂを覆う。開口側部７Ｂは、縦金属枠７Ａの開口部４Ａ側に位置する部分であり、縦枠７の見込み方向（室内外方向）に沿って形成される。開口側部７Ｂの室内側の部分が、第１縦樹脂カバー６０により覆われる。
【００３９】
第１縦樹脂カバー６０は、縦金属枠７Ａの開口側部７Ｂを覆うカバー部６１と、板状の突片６２を有する。カバー部６１は、開口側部７Ｂに対向する。突片６２は、縦金属枠７Ａの室内側部７Ｃと第２縦樹脂カバー７０に対して、枠体４の開口部４Ａ側に配置されて、第２縦樹脂カバー７０の開口部４Ａ側を覆う。室内側部７Ｃは、見込み方向において縦金属枠７Ａの室内側に位置する部分であり、開口側部７Ｂの室内側の端部から室内側に延出して形成される。突片６２は、第２縦樹脂カバー７０よりも室内側に向かって突出し、取付部材であるネジＳ９により、縦金属枠７Ａを介さずに建築物の開口縁部に直接取り付けられる。
【００４０】
第２縦樹脂カバー７０は、縦金属枠７Ａの室内側に配置されて、縦金属枠７Ａの室内側部７Ｃを覆う。また、第２縦樹脂カバー７０は、室内側部７Ｃに対向する中空部７１と、複数の突出部７２、７３と、突起７４を有する。中空部７１は、室内側部７Ｃの見込み方向室内側を覆う中空状のカバー部であり、矩形状の断面形状に形成されている。室内側部７Ｃの室内側において、中空部７１が縦枠７の見付け方向に沿って形成されて、中空部７１により、室内側部７Ｃの見込み方向室内側の全体が覆われる。１つの内部空間７１Ａが中空部７１内に形成される。中空部７１及び内部空間７１Ａは、第２縦樹脂カバー７０の長手方向（図１の上下方向）に連続して設けられている。
【００４１】
一方の突出部７２は、中空部７１から縦金属枠７Ａの室内側部７Ｃに向かって見込み方向室外側に突出し、他方の突出部７３は、中空部７１から第１縦樹脂カバー６０に向かって見込み方向室外側に突出する。突出部７２、７３により、空所７５が、中空部７１と室内側部７Ｃの間、及び、中空部７１と第１縦樹脂カバー６０の間に形成される。空所７５は、第２縦樹脂カバー７０、室内側部７Ｃ、及び、第１縦樹脂カバー６０により区画された縦枠７の内部空間である。突出部７２は、中空部７１から室内側部７Ｃまで突出して、室内外方向に沿って形成される。中空部７１は、室内側部７Ｃを含む縦金属枠７Ａに接触せず、突出部７２により、縦金属枠７Ａから離間した位置に配置される。第２縦樹脂カバー７０は、突出部７２のみで縦金属枠７Ａに接触する。
【００４２】
突出部７２の縦金属枠７Ａへの接触が許容される部分は、先端部（突端部）から中空部７１に接続する根元部までの部分である。ここでは、突出部７２の先端部側の一部が縦金属枠７Ａの室内側部７Ｃに接触する。また、室内側部７Ｃは縦金属枠７Ａの最も室内側に位置する部分であり、見込み方向において、突出部７２よりも室内側の位置には縦金属枠７Ａが設けられない。
【００４３】
突出部７２、７３は、先端部に係合フック７２Ａ、７３Ａを有する。縦金属枠７Ａの室内側部７Ｃは、一方の突出部７２の係合フック７２Ａに係合する係合部７Ｄを有し、第１縦樹脂カバー６０は、他方の突出部７３の係合フック７３Ａに係合する係合部６３を有する。係合部７Ｄは、室内側部７Ｃに見込み方向室内側に向かって形成された係合突起であり、係合部６３は、第１縦樹脂カバー６０の突片６２に形成された係合突起である。
【００４４】
係合フック７２Ａ、７３Ａが係合部７Ｄ、６３に引っ掛けられて、係合部７Ｄ、６３が突出部７２、７３に係合する。これにより、第２縦樹脂カバー７０は、縦金属枠７Ａの室内側部７Ｃと、第１縦樹脂カバー６０に取り付けられる。突起７４は、中空部７１に形成されて、第１縦樹脂カバー６０の突片６２に接触する。中空部７１と突片６２の間に位置する突起７４と係合部６３により、隙間６４が第２縦樹脂カバー７０と突片６２の間に形成される。
【００４５】
以上説明した枠体４では、下枠５（図３参照）において、空所３８Ａ、３８Ｂが第３下樹脂カバー３０の中空部３１と下金属枠５Ａの室内側部５Ｄの間に形成され、第３下樹脂カバー３０が突出部３５〜３７のみで下金属枠５Ａに接触する。その結果、室内側部５Ｄと中空部３１との間で熱が伝導し難くなり、室内側における下枠５の断熱性を向上させることができる。また、第３下樹脂カバー３０の表面温度の低下を抑制して、第３下樹脂カバー３０での結露の発生を抑制することができる。従って、下枠５の防露性能を向上させることができる。
【００４６】
下枠５と同様に、上枠６（図４参照）において、空所５５が第２上樹脂カバー５０の中空部５１と上金属枠６Ａの室内側部６Ｄの間に形成され、第２上樹脂カバー５０が突出部５２のみで上金属枠６Ａに接触する。また、縦枠７（図５参照）において、空所７５が第２縦樹脂カバー７０の中空部７１と縦金属枠７Ａの室内側部７Ｃの間に形成され、第２縦樹脂カバー７０が突出部７２のみで縦金属枠７Ａに接触する。そのため、上枠６と縦枠７においても、各樹脂カバー５０、７０の表面温度の低下を抑制して、各樹脂カバー５０、７０での結露の発生を抑制でき、断熱性と防露性能を向上させることができる。
【００４７】
下枠５（図３参照）では、中空部３１において内部空間３１Ａ、３１Ｂを区画する室外側の壁部（接続部３１Ｃの上下に位置する壁部）と、区画壁３２により、接続部３１Ｃの剛性が向上するため、接続部３１Ｃから突出する突出部３６も変形し難い。また、取付部３４により、第３下樹脂カバー３０を建築物の開口縁部に直接取り付けて、開口縁部に第３下樹脂カバー３０を確実に保持することができる。下枠５に荷重がかかると、下方向の力が下金属枠５Ａに加えられる。その際、一対の係合部５Ｉ、５Ｊが一対の突出部３５、３６により拘束されるため、下金属枠５Ａが第３下樹脂カバー３０に対して回転変位するのを抑制することができる。より具体的には、図３において、下枠５の上面に荷重がかかることで、下枠５に反時計回り（下枠５の室外側寄りが下方に、下枠５の室内側寄りが上方にそれぞれ向かう方向の回転）の回転力が作用する。この場合に、ネジＳ７を用いて開口縁部に固着された取付部３４を有する第３下樹脂カバー３０の突出部３６によって、下金属枠５Ａの係合部５Ｊの上方への移動が規制される。これにより、下枠５の回転変位を抑制することができる。
【００４８】
なお、第３下樹脂カバー３０の区画壁３２と同様の区画壁を、第２上樹脂カバー５０と第２縦樹脂カバー７０に設けてもよく、第３下樹脂カバー３０の取付部３４と同様の取付部を、第２上樹脂カバー５０と第２縦樹脂カバー７０に設けてもよい。また、下金属枠５Ａの室内側部５Ｄと係合する第３下樹脂カバー３０の一対の突出部３５、３６と同様に、一対の突出部を第２上樹脂カバー５０に設けて室内側部６Ｄの一対の係合部に係合させてもよく、一対の突出部を第２縦樹脂カバー７０に設けて室内側部７Ｃの一対の係合部に係合させてもよい。室内側部５Ｄ、６Ｄ、７Ｃを覆う樹脂カバー３０、５０、７０には、各枠５〜７の構造に対応して、少なくとも１つの突出部が設けられる。即ち、１つの突出部が樹脂カバー３０、５０、７０に設けられ、或いは、複数の突出部が樹脂カバー３０、５０、７０に設けられる。
【００４９】
（第２実施形態）
第２実施形態の建具１では、下枠５の第３下樹脂カバー３０のみが、第１実施形態の第３下樹脂カバー３０と相違する。そのため、第２実施形態では、第３下樹脂カバー３０のみについて説明する。第２実施形態の建具１に関して、第１実施形態の建具１が備える構成に相当する構成には、第１実施形態の建具１の構成と同じ名称と符号を用いる。また、以下では、既に説明した事項と相違する事項を説明し、既に説明した事項と同じ事項の説明は省略する。
【００５０】
図６は、第２実施形態の建具１の下枠５を示す断面図であり、下枠５を図３と同様に示している。
図示のように、第３下樹脂カバー３０は、中空部３１に替えて、下金属枠５Ａの室内側部５Ｄに対して見込み方向で対向する対向部３９を有する。また、第３下樹脂カバー３０は、突起３３と、取付部３４と、複数の突出部３５〜３７を有する。対向部３９は、室内側部５Ｄの見込み方向室内側を覆う板状のカバー部であり、第３下樹脂カバー３０の長手方向に連続して設けられている。室内側部５Ｄの室内側において、対向部３９が下枠５の見付け方向に沿って形成されて、対向部３９により、室内側部５Ｄの見込み方向室内側の全体が覆われる。
【００５１】
突起３３は、対向部３９に形成される。対向部３９と突片１３の間に位置する突起３３により、隙間１９が第３下樹脂カバー３０と突片１３の間に形成される。取付部３４は、対向部３９から室内側に突出する。突出部３５〜３７は、対向部３９から下金属枠５Ａの室内側部５Ｄに向かって見込み方向室外側に突出して、対向部３９と室内側部５Ｄの間に空所３８Ａ、３８Ｂを形成する。
【００５２】
対向部３９は、下金属枠５Ａに接触せず、突出部３５〜３７は、対向部３９から室内側部５Ｄまで突出する。突出部３５〜３７により、対向部３９は、室内側部５Ｄを含む下金属枠５Ａから離間した位置に配置される。突出部３５〜３７の下金属枠５Ａへの接触が許容される部分は、先端部（突端部）から対向部３９に接続する根元部までの部分である。一対の突出部３５、３６は、対向部３９の室外側で並列する。
【００５３】
下枠５において、空所３８Ａ、３８Ｂが第３下樹脂カバー３０の対向部３９と下金属枠５Ａの室内側部５Ｄの間に形成され、第３下樹脂カバー３０が突出部３５〜３７のみで下金属枠５Ａに接触する。そのため、第２実施形態の下枠５でも、第３下樹脂カバー３０の表面温度の低下を抑制して、第３下樹脂カバー３０での結露の発生を抑制でき、断熱性と防露性能を向上させることができる。なお、上枠６の第２上樹脂カバー５０に、中空部５１に替えて、対向部３９と同様の対向部を設けてもよく、縦枠７の第２縦樹脂カバー７０に、中空部７１に替えて、対向部３９と同様の対向部を設けてもよい。
【００５４】
（第３下樹脂カバー３０の他の例）
図７は、下枠５の第３下樹脂カバー３０の他の例を示す断面図であり、下金属枠５Ａの一部と第３下樹脂カバー３０を示している。
図７Ａ〜図７Ｄに示す枠体４は、第３下樹脂カバー３０内に低熱伝導率材８を備えている。低熱伝導率材８により、枠体４の断熱性をより向上させて、第３下樹脂カバー３０での結露をより確実に抑制することができる。
【００５５】
低熱伝導率材８は、金属枠（ここでは、下金属枠５Ａ）の熱伝導率よりも熱伝導率が低い部材であり、例えば、断熱材である。断熱材は、例えば、繊維系断熱材（グラスウール、ロックウール等）、又は、発泡系断熱材（フェノールフォーム、ウレタンフォーム等）等である。また、低熱伝導率材８は、断熱材以外の部材であってもよく、例えば、下金属枠５Ａの熱伝導率よりも熱伝導率が低い耐火材、又は、防火材等であってもよい。低熱伝導率材８の熱伝導率は、下金属枠５Ａの熱伝導率に加えて、第３下樹脂カバー３０の熱伝導率より低くてもよい。
【００５６】
中空部３１を有する第３下樹脂カバー３０では（図７Ａ〜図７Ｃ参照）、低熱伝導率材８は、空所３８Ａ、３８Ｂと中空部３１の内部（内部空間３１Ａ、３１Ｂ）の少なくとも一方に収容される。図７Ａに示す第３下樹脂カバー３０では、低熱伝導率材８は、内部空間３１Ａ、３１Ｂのみに収容される。図７Ｂに示す第３下樹脂カバー３０では、低熱伝導率材８は、空所３８Ａ、３８Ｂのみに収容される。図７Ｃに示す第３下樹脂カバー３０では、低熱伝導率材８は、空所３８Ａ、３８Ｂと内部空間３１Ａ、３１Ｂの両方に収容される。対向部３９を有する第３下樹脂カバー３０では（図７Ｄ参照）、低熱伝導率材８は、空所３８Ａ、３８Ｂに収容される。
【００５７】
低熱伝導率材８は、全ての内部空間３１Ａ、３１Ｂに収容してもよく、一部の内部空間３１Ａ、３１Ｂに収容してもよい。また、低熱伝導率材８は、全ての空所３８Ａ、３８Ｂに収容してもよく、一部の空所３８Ａ、３８Ｂに収容してもよい。低熱伝導率材８は、空所３８Ａ、３８Ｂ内の全体に収容してもよく、空所３８Ａ、３８Ｂ内の一部に収容してもよい。低熱伝導率材８を空所３８Ａ、３８Ｂ内の一部に収容するときには、低熱伝導率材８と下金属枠５Ａの室内側部５Ｄの間に隙間を形成してもよく、低熱伝導率材８と中空部３１（又は、対向部３９）の間に隙間を形成してもよい。
【００５８】
区画壁３２を中空部３１内に形成せずに（図７Ｅ参照）、１つの内部空間３１Ｃを中空部３１内に形成してもよい。内部空間３１Ｄを有する中空部３１と対向部３９を１つの第３下樹脂カバー３０に設けてもよい（図７Ｆ参照）。なお、低熱伝導率材８を上枠６の第２上樹脂カバー５０内に設けてもよく、中空部と対向部を１つの第２上樹脂カバー５０に設けてもよい。低熱伝導率材８を縦枠７の第２縦樹脂カバー７０内に設けてもよく、中空部と対向部を１つの第２縦樹脂カバー７０に設けてもよい。
【００５９】
以上、本発明を枠体４の全ての枠５〜７に適用した例について説明したが、本発明を一部の枠５〜７に適用するようにしてもよい。また、本発明は、枠体４を備えた種々の建具（例えば、開閉窓、非開閉窓、又は、ドア）に適用することができる。
【符号の説明】
【００６０】
１・・・建具、３・・・障子、４・・・枠体、５・・・下枠、６・・・上枠、７・・・縦枠、８・・・低熱伝導率材、１０・・・第１下樹脂カバー、１１・・・内レール、１２・・・カバー部、１３・・・突片、１４・・・突出部、１５・・・突出部、１６・・・突出部、１７・・・空所、１８・・・空所、１９・・・隙間、２０・・・第２下樹脂カバー、２１・・・カバー部、２２・・・突出部、２３・・・突出部、２４・・・空所、３０・・・第３下樹脂カバー、３１・・・中空部、３２・・・区画壁、３３・・・突起、３４・・・取付部、３５・・・突出部、３６・・・突出部、３７・・・突出部、３９・・・対向部、４０・・・第１上樹脂カバー、４１・・・内レール、４２・・・カバー部、４３・・・突片、４４・・・装着部、４５・・・係合部、４６・・・隙間、５０・・・第２上樹脂カバー、５１・・・中空部、５２・・・突出部、５３・・・突出部、５４・・・突起、５５・・・空所、６０・・・第１縦樹脂カバー、６１・・・カバー部、６２・・・突片、６３・・・係合部、６４・・・隙間、７０・・・第２縦樹脂カバー、７１・・・中空部、７２・・・突出部、７３・・・突出部、７４・・・突起、７５・・・空所。
【図１】
0006700109.tif 000002
【図２】
0006700109.tif 000003
【図３】
0006700109.tif 000004
【図４】
0006700109.tif 000005
【図５】
0006700109.tif 000006
【図６】
0006700109.tif 000007
【図７】
0006700109.tif 000008